(57)【要約】【課題】有線リモコン専用の入力信号端子を設けることなく、他の入力信号用端子と有線リモコンの入力信号端子を兼用で使用可能な投射型表示装を提供すること。【解決手段】信号ケーブルを接続可能な入力信号端子と、入力信号端子から入力されて来た第一の入力信号を受信する第一の入力信号受信部と、入力信号端子から入力されて来た第二の入力信号を受信する第二の入力信号受信部と、入力信号端子から入力された信号を、第一の入力信号受信部と第二の入力信号受信部とで受信できるように、入力信号の受信先を切替えることが可能な切替回路と、切替回路を制御するための切替制御部を備えることを特徴する。【選択図】図１
2016086214.tif 000002
【特許請求の範囲】
【請求項１】
信号ケーブルを接続可能な入力信号端子と、入力信号端子から入力されて来た第一の入力信号を受信する第一の入力信号受信部と、入力信号端子から入力されて来た第二の入力信号を受信する第二の入力信号受信部と、入力信号端子から入力された信号を、第一の入力信号受信部と第二の入力信号受信部とで受信できるように、入力信号の受信先を切替えることが可能な切替回路と、切替回路を制御するための切替制御部を備えることを特徴とする投射型表示装置。
【請求項２】
ユーザの操作を検出する操作検出部を備え、操作検出部から受信したユーザの操作情報を基に、切替制御部は入力信号端子から入力された信号の受信先を、第一の入力信号受信部と第二の入力信号受信部とに切替回路を切替えることを特徴とする請求項１に記載の投射型表示装置。
【請求項３】
入力信号の解析を行う入力信号判定部を備え、第一の入力信号受信部、または第二の入力信号受信部にて受信した信号の解析結果によって、入力信号の受信先が正しい場合には切替回路の状態を維持し、入力信号の受信先が正しくない場合には、入力信号が第一の入力信号受信部で受信するように、又は第二の入力信号受信部で受信するように切替制御部によって切替回路を切り替えることを特徴とする請求項１又は請求項２に記載の投射型表示装置。
【請求項４】
入力信号端子にケーブルが接続されているかを監視するケーブル接続検出部を備え、ケーブル接続検出部が入力信号端子へのケーブルを接続を検出後に、切替制御部は切替回路を切り替えることが可能となることを特徴とする請求項１乃至請求項３の何れか一項に記載の投射型表示装置。
【請求項５】
入力信号端子から入力されるリモコンから発信された２値の決められた信号パターンからなる第一の入力信号であるリモコン信号を受信する第一の入力信号受信部を備え、入力信号端子から入力されたリモコン信号を第一の入力信号受信部で受信できるように、第一の入力信号受信部と第二の入力信号受信部の間で受信先を切替えることが可能な切替回路と、切替回路を制御するための切替制御部を備えることを特徴とする請求項１乃至請求項４の何れか一項に記載の投射型表示装置。
【請求項６】
入力信号端子から入力されるオーディオソース機器から発行された音声帯域のアナログ信号パターンからなる第二の入力信号である音声信号を受信する第二の入力信号受信部を備え、入力信号端子から入力された音声信号を第二の入力信号受信部で受信できるように、第一の入力信号受信部と第二の入力信号受信部の間で受信先を切替えることが可能な切替回路と、切替回路を制御するための切替制御部を備えることを特徴とする請求項１乃至請求項５の何れか一項に記載の投射型表示装置。
【請求項７】
入力信号端子から入力されるリモコンから発信された２値の決められた信号パターンからなるリモコン信号を入力信号として解析する入力信号判定部を備え、第一の入力信号受信部、または第二の入力信号受信部にて受信したリモコン信号の解析結果によって、リモコン信号の受信先が正しい場合には切替回路の状態を維持し、リモコン信号の受信先が正しくない場合には、入力信号を第一の入力信号受信部で受信するように、又は第二の入力信号受信部で受信するように切替制御部によって切替回路を切り替えることを特徴とする請求項１乃至請求項６の何れか一項に記載の投射型表示装置。
【請求項８】
入力信号端子から入力されるオーディオソース機器から発行された音声帯域のアナログ信号パターンからなる音声信号を入力信号として解析する入力信号判定部を備え、第一の入力信号受信部、または第二の入力信号受信部にて受信した音声信号の解析結果によって、音声信号の受信先が正しい場合には切替回路の状態を維持し、音声信号の受信先が正しくない場合には、音声信号を第一の入力信号受信部で受信するように、又は第二の入力信号受信部で受信するように切替制御部によって切替回路を切り替えることを特徴とする請求項１乃至請求項７の何れか一項に記載の投射型表示装置。
【請求項９】
音声出力部と、音声出力制御部を備え、ケーブル接続検出部がケーブルの接続を検出後、第一の入力信号受信部でした信号の解析結果が出てから、切替回路の切替処理が終わるまで、音声出力制御部は、入力信号を受けて音声出力部から音声が出力されないように音声出力部を音声出力禁止状態に制御をすることを特徴とした請求項６乃至請求項８の何れか一項に記載の投射型表示装置。
【発明の詳細な説明】
【技術分野】
【０００１】
本発明は、表示装置に関し、特にリモコンを利用する表示装置に関する。
【背景技術】
【０００２】
従来、投射型表示装置は高輝度で小型化が進んでいるものの、各種映像や制御用信号の入出力端子が増えており、投射型表示装置とリモコン間を所定のケーブルで接続しリモコンの信号を送受信するリモコン（以下、有線リモコンと表記する）もまた専用端子が必要であり、投射型表示装置の筺体に設けることによって、設計やデザインの制約の１つとなっていた。
【０００３】
特許文献１には、有線リモコンの専用端子を備えた投射型表示装置が開示されている。詳しくは、リモコン本体と投射型表示装置を有線リモコン用のケーブルで接続し、ケーブルが接続されている間は赤外線受光部側の回路をスイッチで切っておくため、有線リモコンからの信号のみを受信し、赤外線のリモコンからのリモコン信号を受信しないように制御する技術が記載されている。
【先行技術文献】
【特許文献】
【０００４】
【特許文献１】特開２０１０−７４６０７号公報
【発明の概要】
【発明が解決しようとする課題】
【０００５】
しかしながら、上述の特許文献１に開示された従来技術では、有線リモコンには、赤外線を使うリモコンとは異なり、投射型表示装置を２台以上使用する際に、有線リモコンとケーブルで接続された投射型表示装置のみを制御できるメリットがあるが、有線リモコンを使用するためには専用の入力信号端子を投射型表示装置の筺体に設ける必要がある。
【０００６】
そこで、本発明の目的は、有線リモコン専用の入力信号端子を設けることなく、他の入力信号用端子と有線リモコンの入力信号端子を兼用で使用可能な投射型表示装置を提供することにある。
【課題を解決するための手段】
【０００７】
上記目的を達成するために、本発明の投射型表示装置は、信号ケーブルを接続可能な入力信号端子と、入力信号端子から入力されて来た第一の入力信号を受信する第一の入力信号受信部と、入力信号端子から入力されて来た第二の入力信号を受信する第二の入力信号受信部と、入力信号端子から入力された信号を、第一の入力信号受信部と第二の入力信号受信部とで受信できるように、入力信号の受信先を切替えることが可能な切替回路と、切替回路を制御するための切替制御部を備えることを特徴とする。
【発明の効果】
【０００８】
本発明によれば、有線リモコン専用の入力信号端子を設けることなく、他の入力信号用端子と有線リモコンの入力信号端子を兼用で使用可能な投射型表示装の提供を実現できる。
【図面の簡単な説明】
【０００９】
【図１】実施例１の投射型表示装置の構成を示すブロック図
【図２】実施例２の投射型表示装置の構成を示すブロック図
【図３】実施例３の投射型表示装置の構成を示すブロック図
【図４】実施例４の投射型表示装置の構成を示すブロック図
【発明を実施するための形態】
【００１０】
以下に、本発明の好ましい実施の形態を、添付の図面に基づいて詳細に説明する。各図において、同一の部材については同一の参照番号を付し、重複する説明は省略する。
【実施例１】
【００１１】
以下、図１を参照して、本発明の第１の実施例による、投射型表示装置のブロック図について説明する。図１は本発明の実施形態にかかわる投射型表示装置に必要な構成を示すブロック図である。
【００１２】
１は投射型表示装置の筺体である。２は両端にプラグを有した信号ケーブルを挿抜可能な入力信号端子である。３は２の入力信号端子から入力された信号を後段にある第一の入力信号受信部であるリモコン信号受信部６と、第二の入力信号受信部であるオーディオ信号受信部７で受信できるように切替えて伝送可能な切替回路である。入力信号端子２から入力された入力信号１００は、３の切替回路を経由して第一の入力信号受信部であるリモコン信号受信部６に伝送されるか、第二の入力信号受信部であるオーディオ信号受信部７に伝送される。
【００１３】
４は切替回路３の切替動作を制御する切替制御部である。５は操作検出部であり、ユーザによる操作を検出する。なお、ユーザの操作方法については、メニュー上の操作やオペレーションパネルによる操作、またはリモコンからの操作等あり限定されないとする。
６は第一の入力信号受信部のモコン信号受信部である。７は第二の入力信号受信部のオーディオ信号受信部である。
【００１４】
操作検出部５にてユーザによる入力信号端子切替操作を検出後、操作検出部５は切替制御部４に回路切替要求１０００を出し、切替制御部４は受けた要求を基に、切替制御信号１００１を出して切替回路３を制御する。切替制御信号１００１を受けた切替回路３は切替制御信号１００１に基づいて、入力信号端子２から入力されてきた入力信号１００を第一の入力信号受信部であるリモコン信号受信部６で受信できるように、または第二の入力信号受信部であるオーディオ信号受信部７で受信できるように回路の切替えを実行する。
【００１５】
以上の通り、本実施例の投射型表示装置によれば、入力信号端子をオーディオ用の信号を扱うオーディオ端子と、有線リモコン用の信号を扱う有線リモコン端子と兼用で使用するため、投射型表示装置の筺体に有線リモコン専用の端子を設けることなく、有線リモコンコードを受信することが可能となる。
【００１６】
また、本実施形態において、入力信号端子はオーディオ用の信号を扱うオーディオ端子と、有線リモコン用の信号を扱う有線リモコン端子とで兼用するとしたが、これに限定されず、ビデオ信号用の端子等を兼用しても良い。
【実施例２】
【００１７】
以下、図２を参照して、本発明の第２の実施例による、投射型表示装置のブロック図について説明する。図２は実施例２の投射型表示装置の構成を示すブロックである。本実施例の投射型表示装置のブロック図の構成は、実施例１におけるブロック図の構成に対し、入力信号端子２に対するケーブルの接続検出を検出するケーブル接続検出部８が追加された構成となる。
【００１８】
ケーブル検出部８は入力信号端子にケーブルが接続された事を検出し、操作検出部５にケーブル接続検出信号１００３を通知する。操作検出部５は入力信号端子２に対してケーブルが接続されている間のみ、ユーザによる入力端子切替操作を有効とし、ケーブルが未接続の場合には、ユーザによる入力端子切替操作を無効とする。
【００１９】
以上の通り、本実施例の投射型表示装置によれば、ケーブルの接続を検出している間に、入力信号端子の切替操作が行えるので、不要なタイミングで回路を切り替えることが無くなる。
【実施例３】
【００２０】
以下、図３を参照して、本発明の第３の実施例による、投射型表示装置のブロック図について説明する。図３は実施例３の投射型表示装置の構成を示すブロック図である。１は投射型表示装置の筺体である。２は両端にプラグを有した信号ケーブルを挿抜可能な入力信号端子である。３は２の入力信号端子から入力された信号を後段にある第一の入力信号受信部であるリモコン信号受信部６と、第二の入力信号受信部であるオーディオ信号受信部７で受信できるように切替えて伝送可能な切替回路である。入力信号端子２から入力された入力信号１００は、３の切替回路を経由して第一の入力信号受信部であるリモコン信号受信部６に伝送されるか、第二の入力信号受信部であるオーディオ信号受信部７に伝送される。
【００２１】
４は切替回路３の切替動作を制御する切替制御部である。６は第一の入力信号受信部のリモコン信号受信部である。７は第二の入力信号受信部のオーディオ信号受信部である。
８はケーブルの接続状態を検出可能なケーブル接続検出部である。９はリモコン信号を判定するリモコン信号判定部である。ケーブル接続検出部８は入力信号端子２にケーブルが接続されているかを監視し、ケーブルの接続検出時とケーブルの抜去検出時に、回路切替要求１０００を切替制御部４に発行する。
【００２２】
切替制御部４は受けた要求を基に、切替回路３に対して切替制御信号１００１を発行し切替回路３を制御する。ケーブルの接続を検出した場合は、切替回路３は回路切替制御信号１００１に基づいて、入力信号１００を第一の入力信号受信部であるリモコン信号受信部６で受信できるように回路の切替えを実行する。
【００２３】
ここで、上記のように、入力信号端子２から入力信号１００をリモコン信号受信部６で受信できるように切替回路３が設定されている回路の状態をリモコン信号受信モードとする。
【００２４】
入力信号１００をリモコン信号受信部６で受信後、リモコン信号受信部６からリモコン信号判定部９にリモコン情報３００を取得し、リモコン信号判定部９にてリモコン情報３００の解析を行う。リモコン信号判定部９にて、正当なリモコン信号であると判断された場合は、入力信号端子２はリモコン信号受信モードを維持する。逆にリモコン信号判定部９にてリモコン信号では無いと判断された場合、リモコン信号判定部９は回路切替要求１０００を切替制御部４に発行し切替回路３を制御し、入力信号１００を第二の入力信号受信部であるオーディオ信号受信部７で受信できるように回路を切替える。
【００２５】
ここで、上記のように、入力信号端子２から入力信号１００をオーディオ信号受信部７で受信できるように切替回路３が設定されている回路の状態状態をオーディオ信号受信モードとする。
【００２６】
リモコン信号判定部９では、有線リモコンから受信したリモコン信号の、ベンダーコードや、チャンネルコード、所定の釦コード等を基にリモコン信号の判定をしても良く、これに限らない。
【００２７】
入力信号端子２に接続中のケーブルが抜去された場合には、回路の状態が必ずリモコン信号受信モードに切り替わるようにケーブル接続検出部８が回路切替要求１０００を切替制御部４に発行し切替回路３を制御する。
【００２８】
以上の通り、本実施例の投射型表示装置によれば、ケーブルの接続状態とケーブルから受信した信号から、入力信号端子を、リモコン信号受信モードとオーディオ信号受信モードとに自動で切り替えて使用する可能となる。
【実施例４】
【００２９】
以下、図４を参照して、本発明の第４の実施例による、投射型表示装置のブロック図について説明する。図４は実施例４の投射型表示装置の構成を示すブロック図である。本実施例の投射型表示装置のブロック図の構成は、実施例３におけるブロック図の構成に対し、オーディオ出力部１０とオーディオ制御部１１が追加された構成となる。
【００３０】
８はケーブルの接続状態を検出可能なケーブル接続検出部である。９はリモコン信号を判定するリモコン信号判定部である。１０は音声を出力するオーディオ出力部である。１１はオーディオ出力部１０から音声出力の有効無効制御が可能なオーディオ制御部である。
【００３１】
ケーブル接続検出部８は入力信号端子２にプラグを備えたケーブルが接続されているかを監視し、ケーブルの接続検出時とケーブルの抜去検出時に、回路切替要求１０００を切替制御部４に発行するとともに、オーディオ制御部１１に対してオーディオ出力制御要求２０００を発行する。オーディオ制御部１１は受信したオーディオ出力制御要求２０００に基づいて、オーディオ出力制御信号２００１を発行し、オーディオ出力部１０を音声出力禁止状態にし、オーディオ出力部１０から意図しない音声が出力されるのを防止する。切替制御部４は受けた要求を基に、切替回路３に対して切替制御信号１００１を発行するし、切替回路３を制御する。ケーブルの接続を検出した場合は、切替回路３は回路切替制御信号１００１に基づいて、入力信号１００を第一の入力信号受信部であるリモコン信号受信部６で受信できるように回路の切替えを実行する。
【００３２】
ここで、上記のように、入力信号端子２から入力信号１００をリモコン信号受信部６で受信できるように切替回路３が設定されている回路の状態をリモコン信号受信モードとする。
【００３３】
入力信号１００をリモコン信号受信部６で受信後、リモコン信号受信部６からリモコン信号判定部９にリモコン情報３００を取得し、リモコン信号判定部９にてリモコン情報３００の解析を行う。リモコン信号判定部９にて、正当なリモコン信号であると判断された場合は、入力信号端子２はリモコン信号受信モードを維持する。逆にリモコン信号判定部９にてリモコン信号では無いと判断された場合、リモコン信号判定部９は回路切替要求１０００を切替制御部４に発行し切替回路３を制御し、入力信号１００を第二の入力信号受信部であるオーディオ信号受信部７で受信できるように回路を切替える。同時に、リモコン信号判定部９からはオーディオ信号制御要求２０００が発行され、オーディオ制御部１１は受信したオーディオ出力制御要求２０００を基に、オーディオ出力制御信号２００１を発行し、オーディオ出力部１０の音声出力禁止状態を解除し、オーディオ出力部１０からの音声出力を有効にする。
【００３４】
ここで、上記のように、入力信号端子２から入力信号１００をオーディオ信号受信部７で受信できるように切替回路３が設定されている回路の状態状態をオーディオ信号受信モードとする。
【００３５】
入力信号端子２に接続中のケーブルが抜去された場合には、必ずリモコン信号受信モードに入力信号端子２が切り替わるようにケーブル接続検出部８が回路切替要求１０００を切替制御部４に発行し切替回路３を制御する。また、ケーブル接続検出部８はオーディオ制御要求２０００を発行し、オーディオ制御部１１はオーディオ出力部１０に対してオーディオ制御信号２００１を発行してオーディオ出力部１０を音声出力禁止状態とし、意図しない音声が出力されるのを防止する。
【００３６】
以上の通り、本実施例の投射型表示装置によれば、ケーブルの接続状態とケーブルから受信した信号から、入力信号端子を、リモコン信号受信モードとオーディオ信号受信モードとに自動で切り替えて使用する際に、投射型表示装置に設けられているスピーカ等のオーディオ出力部１０から意図しない音声が出力されるのを防ぐことが可能となる。
【００３７】
以上、本発明の好ましい実施形態について説明したが、本発明はこれらの実施形態に限定されず、その要旨の範囲内で種々の変形及び変更が可能である。
【符号の説明】
【００３８】
１  投射型表示装置、２  入力信号端子、３  切替回路、４  切替制御回路、
５  操作検出部、６  リモコン信号受信部、７  オーディオ信号受信部、
８  ケーブル接続検出部、９  リモコン信号判定部、１００  入力信号、
３００  ケーブル接続検出信号、４００  オーディオケーブル、４０１  プラグ接続部、
４０２  プラグ接続部、４０３  プラグ接続部、５００  リモコン、
５０１  有線リモコン端子、１０００  回路切替要求、１００１  回路切替制御信号、
２０００  オーディオ出力制御要求、２００１  オーディオ出力制御信号
【図１】
2016086214.tif 000003
【図２】
2016086214.tif 000004
【図３】
2016086214.tif 000005
【図４】
2016086214.tif 000006